(57)【要約】【課題】  デジタルカメラ撮影機能を有する携帯端末装置において、様々な撮影の設定に応じた画像データを容易に取得できること。【解決手段】  デジタルカメラを搭載または接続して構成されるカメラ撮影手段を備える携帯端末装置において、複数の操作キーを備える操作手段と、カメラ撮影の設定状態を指定する撮影設定手段と、カメラ撮影が可能な状態であるカメラモードにおいて、カメラ撮影を実行するための操作キーであるシャッターキーとして、複数の操作キーの中からいずれが選択されたかを判別するキー判別手段と、キー判別手段の判別結果に応じて、撮影設定手段の設定状態を指定して割り付けする手段と、を備える携帯端末装置とした。【選択図】  図２
2008125098.tif 000002
【特許請求の範囲】
【請求項１】
デジタルカメラを搭載または接続して構成されるカメラ撮影手段を有する携帯端末装置において、
複数の操作キーを備える操作手段と、
内蔵するメモリ内に複数のフォルダを形成する手段と、
カメラ撮影により画像データを取得する手段と、
前記画像データを前記フォルダ内に保存する手段と、
カメラ撮影が可能な状態であるカメラモードにおいて、カメラ撮影を実行するための操作キーであるシャッターキーとして、前記複数の操作キーの中からいずれが選択されたかを判別するキー判別手段と、前記キー判別手段の判別結果に応じて、前記フォルダの中のひとつを指定して割り当てる手段と、
撮影時に取得した前記画像データを、指定された前記フォルダに自動的に保存する手段と、
を備えて構成される、ことを特徴とする携帯端末装置。
【請求項２】
デジタルカメラを搭載または接続して構成されるカメラ撮影手段を有する携帯端末装置において、
複数の操作キーを備える操作手段と、
カメラ撮影によって画像データを取得する手段と、
複数の表題データを保持する手段と、
カメラ撮影が可能な状態であるカメラモードにおいて、カメラ撮影を実行するための操作キーであるシャッターキーとして、前記複数の操作キーの中からいずれが選択されたかを判別するキー判別手段と、前記キー判別手段の判別結果に応じて、前記表題データの中から一つを指定して割り当てる手段と、
取得された前記画像データに対して、指定された前記表題データが自動的に付与される手段と、
を備えて構成される、ことを特徴とする携帯端末装置。
【発明の詳細な説明】
【技術分野】
【０００１】
本発明は、デジタルカメラを備えて画像の撮影ができる携帯端末装置に関するものである。
【背景技術】
【０００２】
デジタルカメラを搭載するか接続するかして構成される画像撮影機能を有する携帯端末装置を用いて、カメラ画像の撮影を行なう場合、ユーザは撮影にあたって、事前に希望する画像設定状態に変更することにより、様々な画像の撮影を行なうことが可能であった。また、カメラ撮影された画像データをフォルダ分けして保存することができ、さらにカメラ撮影された画像データに表題データ自動的に付加することができた。  
この分野に関連する従来の技術文献しては、例えば、特開２００２−１４１９７８号公報があり、ここには、デジタルカメラ機能を有する携帯端末装置を用いてカメラ撮影を行なう場合に、キー操作をより簡単にして、ユーザが表示部の画面で確認しながら操作する必要をなくすることを目的とした携帯端末装置が開示されている。
【特許文献１】特開２００２−１４１９７８号公報
【発明の開示】
【発明が解決しようとする課題】
【０００３】
しかしながら、画像撮影に関する保存や表題データ等の指定操作が、ユーザにとっては面倒なものであって、咄嗟の場合ではそのような設定状態操作をする時間もなく、希望の設定状態で撮影することができなくなるという問題点があった。
【０００４】
そこで、本発明による携帯端末装置は、上記の問題点に鑑みてなされたものであり、ユーザが、画像データのフォルダ分けによる保存／管理、および画像データに付加される表題データに関し、より検索し易くてわかりやすいカメラ撮影機能付きの携帯端末装置を提供することを目的としている。
【課題を解決するための手段】
【０００５】
本発明による携帯端末装置は、上記目的を達成するために、次のような手段を有する。 
本発明は、デジタルカメラを搭載または接続して構成されるカメラ撮影手段を有する携帯端末装置において、
複数の操作キーを備える操作手段と、
内蔵するメモリ内に複数のフォルダを形成する手段と、
カメラ撮影により画像データを取得する手段と、
画像データをフォルダ内に保存する手段と、
カメラ撮影が可能な状態であるカメラモードにおいて、カメラ撮影を実行するための操作キーであるシャッターキーとして、複数の操作キーの中からいずれが選択されたかを判別するキー判別手段と、キー判別手段の判別結果に応じて、フォルダの中のひとつを指定して割り当てる手段と、
撮影時に取得した画像データを、指定されたフォルダに自動的に保存する手段と、を備えて構成されることを特徴とする。
【０００６】
また、本発明は、デジタルカメラを搭載または接続して構成されるカメラ撮影手段を有する携帯端末装置において、
複数の操作キーを備える操作手段と、
カメラ撮影によって画像データを取得する手段と、
複数の表題データを保持する手段と、
カメラ撮影が可能な状態であるカメラモードにおいて、カメラ撮影を実行するための操作キーであるシャッターキーとして、複数の操作キーの中からいずれが選択されたかを判別するキー判別手段と、キー判別手段の判別結果に応じて、表題データの中から一つを指定して割り当てる手段と、
取得された画像データに対して、指定された表題データが自動的に付与される手段と、を備えて構成されることを特徴とする。
【発明の効果】
【０００７】
本発明の携帯端末装置によれば、指定される複数のキーそれぞれをシャッターキーとすると共に、様々なカメラ撮影に関する設定が指定されて割り付けしてあるため、咄嗟の場合にも、所望の設定で撮影を行うことができる。
【発明を実施するための最良の形態】
【０００８】
以下、本発明の実施の形態を、図面を参照して詳細に説明する。本実施の形態では、携帯端末装置として携帯電話機(ＰＨＳも含む)を例にとる。図１は本発明の実施の形態に係る携帯電話機１００の機能ブロック図であり、図２は本発明の実施の形態である折り畳み式の携帯電話機１００を開いたときの外観図であり、図２(ａ)はその正面図(内面図)、図２(ｂ)はその背面図(外面図)である。また、図３は、本発明の実施の形態である携帯端末装置の動作の流れを示すフローチャートである。そして、図４と図５は、携帯端末装置において、シャッターキーとして用いられる操作キーと、それに対応して設けられた設定状態の例を示すテーブル図である。さらに、図６は、携帯端末装置において、初めに押下される操作キーと、このキーに続いて、その後にさらに押下される操作キーに対応して設けられた種々な設定状態の一例を示すテーブル図である。
【０００９】
まず図１は、本発明の実施の形態である携帯電話機の全体構成を示すブロック図である。携帯電話機１００は、ＣＰＵ(制御部)１０、無線通信部１１、アンテナ１２、キー(キー操作部)１３、ＬＣＤ(画面表示部)１４、カメラ１６(外付け型のカメラでもよい)、マイク(音声入力部)１７、スピーカ(音声出力部)１８、を具備する。また、他の図示しない構成要素として、着信通知部(サウンダ、バイブレータ)、時計・タイマ部などをも備える。
【００１０】
無線通信部１１は、通信網に接続する無線基地局との間で、アンテナ１２を介して無線送受信を行なう。受信された受信信号は無線通信部１１に渡され、復調される。復調された受信信号は、フレームプロセッサでフレーム単位に処理され、コーデックでデコードされアンプ(図示せず)を介してスピーカ１８から音声として出力される。また、マイク１８から入力された音声信号は、コーデックでコード化されフレームプロセッサでフレーム単位に処理され、無線通信部１１で変調される。変調された送信信号はアンテナ１２を介して無線基地局に送信される。携帯電話機１００のＣＰＵ(制御部)１０は、無線通信部１１の制御及びキー操作部１３からの信号により、携帯電話機全体を統括的に制御する。着信音はアンプを介してスピーカ１７から出力される。
【００１１】
図１における携帯電話機１００は、撮影用のデジタルカメラ１６を搭載(内蔵)している構造であるが、これに限らず、撮影用のカメラとして、外付け型のカメラをインターフェイス等の接続手段を介して連結接続させることにより用いることができる。  
また、メモリ部１５は、電話機能を実行するための制御プログラムや各種の固定データが格納され、ＣＰＵ１０により処理されたデータが一時的に記憶されたり、内部および外部から入力される各種データが格納されたりするのに用いる。
【００１２】
図２(ａ)は、本発明にかかる折り畳み式の携帯電話機１００を開いたとき(開状態)を示す正面図、図２(ｂ)はその背面図である。図２において、携帯電話機１００は、上側筐体１１０と下側筐体１２０とが、開閉用のための接合部１１５を介して折り畳まれる構造であり、上側筐体１１０の内面(正面)にはＬＣＤ１４を備える。このＬＣＤ１４には、携帯端末装置１００における電話機能としての各種設定情報及び各種メニュー情報や、カメラ１６を使用した際における撮影画像の情報などが表示される。
【００１３】
また、上側筐体１１０の外面(背面)には撮影部１１１があり、ここにデジタルカメラ１６を備える。また、この図２での撮影部１１１は録音用マイク１１２を含み、動画像の記録時における音を取り込み、取得した音声データはＣＰＵ１０によってメモリ１５に画像データとともに記憶される。その後、キー操作部(１３０、１３１、１３２、１３３)から再生を指示する信号が送られてきたときに、再びＣＰＵ１０がメモリ１５から当該画像及び音声データを読み出して、ＬＣＤ１４とスピーカ１８とから出力することができる。
【００１４】
下側筐体１２０の内面には、操作キー部１３として、上方にある複数のキーを含む第１の操作キー部１３０、中程にある第２の操作キー部１３１、下方にある第３の操作キー部１３２を備えるとともに、側面には常に外部に露出しているサイドキー部１３３を備える。  
第１の操作キー部１３０にある多くの操作キーは、方向キー・ファンクションキー・発信／着信キーなどのキーを含む。中央にある操作キーＣは、上下左右に動かすことができ、さらに押込むこともでき、具体的には、ＬＣＤ１４に表示された複数のメニュー項目、アイコン、画像ファイル等の中から所望のメニュー(アイコン、画像ファイル)を選択するときにカーソルを操作したり、又、画面のスクロール時などに上下左右に動かすことができ、さらに、選択したメニュー(アイコン、画像ファイル)を決定するときにも押込み操作を行う。  
また、第２の操作キー部１３１は、文字入力を兼用したテンキーなどによる操作キー部であり、ここでは相手先の電話番号を入力したり、メールの本文、宛先、タイトル等の文字や数字などを入力するときに使用される。そして、第３のキー部１３１には、その他の各種機能キーが割り当てられる。
【００１５】
これらの操作キー部(１３０、１３１、１３２、１３３)のすべての操作キーのそれぞれが、カメラ撮影時にはシャッターキーとして指定されて用いられることが可能である。第１の操作キー部１３０にある操作キーは正面の位置にあって操作し易く、なかでも中央にある操作キーｃは撮影時にはメインシャッターとして用いられるとよい。そして、第２の操作キー部１３１と第３の操作キー部１３２にある操作キーは、カメラ撮影時にはサブのシャッターキーとして用いられるとよい。また、サイドキー部１３３は、携帯電話機１００が折り畳まれた時でも外部に露出しているので、カメラ使用時においても様々な撮影機能や設定を割り当てて用いると便利である。
【００１６】
つぎに、図３のフローチャートを参照して、本発明の実施の形態での携帯電話機１００において、ＣＰＵ１０により実行されるカメラ撮影にかかわる制御動作を説明する。まず、ステップＳ３０１では、カメラ１６の撮影がＯＮとなっているか否かが判定される。ここでカメラ１６がＯＮであると判定された場合には、次のステップＳ３０２に進み、このステップＳ３０２では、カメラ１６を通して取得された画像のプレビューをバッファに格納しておきながら、そのプレビュー画像をＬＣＤに表示する。そして、次のステップＳ３０３において、シャッターキーが入力されたかどうかが判定される。なおここでの、シャッターとバッファとを含む構成については、図３に(  )書きにて示した。
【００１７】
このステップＳ３０３において、シャッター入力がなされたと判定されたときには、次のステップＳ３０４に進むが、シャッター入力がなされてないと判定されたときには、ステップＳ３０２の前に戻る。  
ステップＳ３０４では、シャッター入力された時のシャッターキーがどのようなキーであるかが判定される。ここで、シャッターキーが通常のシャッターキー(つまり操作部１３０の操作キーｃのメインシャッターキー)であると判定された場合には、ステップＳ３０８へと進んで、プレビュー画像を固定して抽出し、バッファ内の画像データを携帯電話機１００のメモリ１５に書き込みを行なって、終了することとなる。
【００１８】
一方、ステップＳ３０４において、そのシャッター入力時のシャッターキーが、本発明にかかる撮影設定状態が指定されたシャッターキーであると判定された場合には、ステップＳ３０５へと進む。ステップＳ３０５では、操作キーの中で、どのシャッターキーが押下されたかが特定される。  
そして、ステップＳ３０５「キー種判別」に続いてステップＳ３０６に進むと、このステップでは、テーブル(例えば上記した図４〜６に示したデータ)を参照することにより、キー種毎の撮影設定状態の設定を行い、カメラ撮影の設定に関する割り付けを行なって、それをメモリに書き込む。  
次のステップＳ３０７では、プレビュー画像を、指定された撮影設定状態に見合った方法で抽出して、画像あるいは動画データをメモリに書き込む撮影作業が行われて、終了となる。  
なお、キー種とそれに合わせて指定される撮影設定は、予め携帯電話機１００に設定して組み込んでおいて指定されていてもよいし、ユーザが自分の好みに合わせて自由に設定できるようにしてもよい。
【００１９】
このように、本発明では、カメラ撮影が可能な状態であるカメラモードにおいて、カメラ撮影を実行するための操作キーであるシャッターキーとして、複数の操作キーの中からいずれが選択されたかを判別して、このキー判別の結果に応じて、撮影設定手段の設定を指定して割り付けを行うことができる。  
なお、ここで選択されたシャッターキーは、カメラモード以外の状態では、カメラ撮影機能と異なる別の機能を持つ操作キーとして用いることができる。
【００２０】
図４は、携帯電話機の個々の操作キーと、それぞれのキーによって指定され割り付けがなされた設定の一例を示した、メモリ１５に記憶されるテーブル図である。この図４では、ユーザにカメラモード下で選択されて押下されるキー種１(操作キー１)には設定Ａが指定されており、このキー種１(操作キー１)はキー操作部１３１のテンキーの"１"である。また、キー種２(テンキーの"２")は設定Ｂが指定され、以下同様に、キー種３(テンキーの"３")：Ｃ、キー種４(テンキーの"４")：Ｄ、キー種５(テンキーの"５")：Ｅ、キー種６(テンキーの"６")：Ｆ、・・・ のように、特定のキーに対してその設定が指定されて割り付けされている。また、キー操作部１３０のキーｃ以外、例えば"上"、"下"、"左"、"右"のキーについても同様に設定を割り付けてもよい。
【００２１】
この図４における撮影設定手段による設定として、例えば、[Ａ]：標準撮影、[Ｂ]：拡大撮影、[Ｃ]：フレーム付加撮影、[Ｄ]：セルフタイマ撮影、[Ｅ]：連続撮影、[Ｆ]：シャッター音変更撮影、[Ｇ]：日付スタンプ付加撮影、などがあって、カメラモード中に対応するキーを１回だけ押下することで、１ステップにして、これら設定変更した上で撮影を実行することができる。また、複数の設定の組み合わせについても、キーひとつにあらかじめ複数の設定を割り付けておけば、キー１回押下の１ステップにより実行することができる。例えば、"上"キーに[Ｂ]と[Ｃ]を対応づけておけば、カメラモード中に"上"キーを押下することにより、フレームを付加した上での拡大撮影に設定を行うことができる。
【００２２】
つまり、１つのキーに対して、その設定状態を１種類指定することは勿論、２種類以上を指定可能に構成されてよいので、カメラモード中に１つのキーを１回だけ操作することで、上記の様々な設定(撮影スタイル)が組み合わされた撮影が可能となる。
【００２３】
このようにして、カメラ撮影が可能な状態であるカメラモードにおいて、カメラ撮影を実行するための操作キーであるシャッターキーとして、複数の操作キーの中からいずれが選択されたかを判別して、このキー判別の結果に応じて、撮影設定手段の設定状態を指定した上で撮影を行うことができる。  
なお、ここで選択されたシャッターキーは、カメラモード以外の状態では、カメラ撮影機能と異なる別の機能を持つ操作キーとして用いることができる。
【００２４】
図５は、キー種と設定状態の第１の例を示すテーブル図であり、メモリ１５に記憶される。なお、図５は、図４のテーブルを詳述したものでもあり、携帯電話機の個々の操作キーと、それぞれのキーに指定され割り付けがなされた設定の例を示したものである。この図５では、ユーザにシャッターキーとして選択されて押下されるキー操作部１３１のテンキー１,２には、設定状態の[Ｂ]拡大撮影が指定され、特にテンキー１にはその拡大倍率２倍が割り当てられており、以下、テンキー２にはその拡大倍率３倍が割り付けされている。また、テンキー３,４,５には[Ｃ]フレーム付加撮影が、テンキー７,８,９には[Ｄ]セルフタイマー撮影が、テンキー＊,０,＃には[Ｅ]連続撮影が、それぞれに指定されていて、各キー種毎に設定状態が指定される。このように、一つのキーの押下(ワンステップ動作)によって画像撮影の設定を指定した撮影ができ、例えばテンキー４を押下すれば、フレーム種類IIが付加されたフレーム付加撮影の設定状態とした上で、この設定に応じた撮影が行われる。
【００２５】
さらに加えて、一つのキー種に対して、複数の設定状態を組み合わせて指定した上で撮影することもできる。その例として、図示してはいないが、[Ｂ]拡大撮影＋[Ｃ]フレーム付加撮影の２種類を指定することもできるし、[Ｂ]拡大撮影＋[Ｃ]フレーム付加撮影＋[Ｄ]セルフタイマー撮影のように３種類を指定することもできる。勿論それ以上の種類の指定も可能であって、ユーザが好みによって適宜な設定状態を組み合わせて用いることができる。
【００２６】
また、複数のキーのいずれかにより、まず撮影設定を指定し、さらに複数のキーのいずれかにより、より細かい設定を指定して撮影することもできる。このときは、まず初めのキーに設定(拡大、フレーム付加、・・・など)を指定して、次のキーには前の設定に対応した詳細な設定(倍率、フレーム種別、・・・など)を指定するとともに、指定内容に沿った撮影を行うことができる。
【００２７】
図６は、キー種と設定状態の第２の例を示すテーブル図であり、初めに操作キーを押下し、その次にさらに操作キーを押下して、前の設定に続いて、詳細な設定を指定する例を示したものである。  
例えば、カメラモード下で初めにキー種２(テンキー２)が押下されたとすれば、このテンキー２では設定状態Ｂの拡大撮影が指定されており、このテンキー２に続いてテンキー３を押下したときは、次の設定状態として拡大倍率２倍が指定した上で操作を行う。拡大倍率３倍にしたいときにはテンキー４を、拡大倍率４倍にしたいときにはテンキー５を押下すればよい。
【００２８】
またこの図６において、初めのキー種３(テンキー３)は設定状態としてフレーム付加撮影が指定されており、さらに次のテンキー(４,５,６・・・・)では設定状態としてフレームの種類の選択できるよう設定がなされている。よって、テンキー４を押下すればフレーム(Ｉ)、テンキー５ならフレーム(II)、のようにして画像フレームの種類を選択して指定した上で撮影を行う。さらに、テンキー４では設定状態としてセルフタイマー撮影が指定されているが、このテンキー４に続いて次のテンキー(５,６,７・・・・)を選択して押下することにより、そのタイマ秒数すなわちシャッター時点までの待ち時間を、３,６,１０秒のように指定することができる。  
なお、図６の場合とは異なるが、初めに指定したシャッターキーとなる操作キーを、次の設定状態においても同じキーとして指定することもでき、この場合は同じキーの二度押しという操作となって簡便なものとなる。  
上記のように、咄嗟の場合にも所望の設定を行った撮影を簡単な操作で行うことができる。  
さてつぎに、画像データをフォルダ分けして保存／管理する場合について述べる。本発明の携帯端末装置は、端末メモリ内に任意に複数のフォルダを形成可能であり、撮影により取得した画像データをそれらのフォルダ内に分類して保存することができる携帯端末装置であり、各シャッターキー毎にそれらのフォルダ中の一つを選択する設定機能を持っている。そして、撮影時に押下したシャッターキーに応じて、取得した画像データをあらかじめ指定してあったフォルダ内に自動的に保存することができる。  
画像データのフォルダ分けは、撮影設定状態の指定／割り付けの場合と同様にして実行されるので、ここでは、同じく図３のフローチャートを用いて、各ステップには(')を付して表示して説明する。  
ステップＳ３０３'においてシャッター入力がなされたと判定されたときには、次のステップＳ３０４'に進む。このステップＳ３０４'では、シャッター入力された時のシャッターキーがどのようなキーであるかが判定され、本発明にかかるフォルダ指定のなされたシャッターキーであると判定された場合には、ステップＳ３０５'へと進む。このステップＳ３０５'では、操作キーの中で、どれがシャッターキーとして押下されたかを特定して、ここでキー種が判別されるとそれに対応したフォルダが決定される。
【００２９】
なお、キー種(シャッターキー)とそれに合わせて指定される画像データのフォルダは、携帯電話機１００のメモリ内に予め設定して組み込んでおいてもよいし、ユーザが自分の好みに合わせて自由に設定してメモリ内に記憶させておいてもよい。  
また、操作キーとそのキーに対して指定される画像データのフォルダは、図４〜６と同様にして設定されるとよい。  
ステップＳ３０５'におけるキー種判別に続いて、ステップＳ３０６'では、キー種毎の設定を、指定されたフォルダデータを参照して、フォルダ設定として、メモリに書き込む。ここでは、キー判別手段の判別結果に応じて、フォルダの中のひとつが指定して割り当てられることとなる。  
次のステップＳ３０７'では、プレビュー画像を設定に見合った方法で抽出して、さらに見合った方法で、データをメモリに書き込む。そして、撮影時に取得した画像データを、指定されたフォルダに自動的に保存して、終了となる。
【００３０】
上記のように画像データのフォルダ分けが行われ、例えば、テンキー１をフォルダ「友人」というフォルダ名に対応づけしておくことにより、シャッターキーとしてテンキー１を用いた場合に、面倒なフォルダ移動を行うことなく、所望のフォルダ「友人」に撮影画像を保存することができる。このように、ユーザは自分に合わせて楽にフォルダ管理ができるようになり、撮影後の画像データを検索するのにも便利になった。
【００３１】
さてまた、画像データに表題データを付加して保存／管理する場合について述べる。本発明の携帯端末装置は、各シャッターキーそれぞれに対して、表題データの生成ルールに関する設定機能を持ち、撮影時に押下したシャッターキーに応じて、取得した画像データにあらかじめ設定した表題データの生成ルールに従った表題データが自動的に付加される。  
画像データの表題データ付加は、撮影設定状態の指定／割り付けの場合と同様にして実行されるので、ここでも同じく図３のフローチャートを用いて、各ステップには('')を付して表示して説明する。  
ステップＳ３０３''においてシャッター入力がなされたと判定されたときには、次のステップＳ３０４''に進み、このステップＳ３０４''では、シャッター入力された時のシャッターキーがどのようなキーであるかが判定され、本発明にかかる表題データが指定されたシャッターキーであると判定された場合には、ステップＳ３０５''へと進む。このステップＳ３０５''では、操作キーの中で、どのシャッターキーが押下されたかが特定され、ここでキー種が判別されるとそれに対応した表題データが決定される。
【００３２】
キー種(シャッターキー)とそれに合わせて指定される表題データのフォルダは、携帯電話機１００のメモリ内に予め設定して組み込んでおいたものを利用してもよいし、ユーザが自分の好みに合わせて自由に設定してメモリ内に記憶させておいてもよい。操作キーとそのキーに対して指定された表題データは、図４〜６と同様にして設定されてよい。  
ステップＳ３０５''のキー種判別に続いて、ステップＳ３０６''では、キー種毎の設定を、予め指定された表題データを参照して、表題を設定して、これをメモリに書き込む。ここでは、キー判別手段の判別結果に応じて、表題データの中からそのひとつが指定して割り当てられることとなる。  
次のステップＳ３０７'では、プレビュー画像を設定に見合った方法で抽出して、さらに見合った方法で、表題データをメモリに書き込む。そして、撮影時に取得した画像データを、指定された表題を付与して自動的に保存してから、終了となる。
【００３３】
上記のように画像データの表題データ付加が行われ、例えば、テンキー２に表題データ「動物」を対応づけしておいて、動物の撮影時はテンキー２をシャッターキーとすることにより撮影を行うと、取得した画像は「動物○年□日」と表題がつけられて保存される。また、他のテンキーにも別の表題データを対応づけしておけば、シャッターキーを選択することで画像データに自動付加される表題データをそれぞれ切り替えることができるようになり、後から探す際にも非常に楽になる。なお、撮影には日付を付しておけばよいことは言うまでもない。
【図面の簡単な説明】
【００３４】
【図１】本発明の実施の形態である携帯電話機の機能ブロック図である。
【図２】本発明にかかる折り畳み式の携帯電話機を開いたときの図であり、２(ａ)はその正面図(内面図)であり、２(ｂ)はその背面図(外面図)である。
【図３】本発明にかかる携帯電話機の動作の流れを示すフローチャートである。
【図４】本発明にかかる携帯電話機において、シャッターキーとして用いられる操作キー種と、それに対応して設けられた設定の一例を示すテーブル図である。
【図５】本発明にかかる携帯電話機において、キー種とそれに対応して設けられた設定状態の例(第１の例)を示すテーブル図である。
【図６】本発明にかかる携帯電話機において、カメラモードで最初に押下される操作キーと、このキーに続いて、その後にさらに押下される操作キーに対応して設けられた種々な設定状態の例(第２の例)を示すテーブル図である。
【符号の説明】
【００３５】
１０    ＣＰＵ（制御部）
１１    無線通信部
１２    アンテナ部
１３    操作キー部
１４    ＬＣＤ（画面表示部）
１５    メモリ部
１６    カメラ部
１７    マイク部
１８    スピーカー部
１００    携帯電話機
１１０    上部筐体
１１１    撮影部
１２０    下部筐体
１３０    第１の操作キー部
１３１    第２の操作キー部
１３２    第３の操作キー部
１３３    サイドキー部
【図１】
2008125098.tif 000003
【図２】
2008125098.tif 000004
【図３】
2008125098.tif 000005
【図４】
2008125098.tif 000006
【図５】
2008125098.tif 000007
【図６】
2008125098.tif 000008